Podtech/llm-jp-corpus-v4-ja_patent huggingface dataset:
(57)【特許請求の範囲】
【請求項１】
使用者が、スプリングの力に抗して軸部材に沿って収縮させて毛を挟み、前記スプリングの収縮状態を維持して移動することにより前記毛を抜去する脱毛器具。
【請求項２】
先端部と後端部とを含み、
前記後端部を押すことにより前記スプリングを前記先端部に向けて収縮させる請求項１に記載の脱毛器具。
【請求項３】
２つの指穴部を含み、
前記指穴部に２本の指をかけるとともに、他の指で前記後端部を押して使用する請求項２に記載の脱毛器具。
【請求項４】
モーターを含み、
前記スプリングが収縮されたときに前記モーターが作動して、前記スプリングに振動を与える請求項１から３のいずれか１項に記載の脱毛器具。
【請求項５】
前記スプリングは、滑り止め加工が施されている請求項１から４のいずれか１項に記載の脱毛器具。
【発明の詳細な説明】
【技術分野】
【０００１】
本発明は、より確実に鼻毛を処理するための脱毛器具に関する。
【背景技術】
【０００２】
多くの人々は美容のため、毛抜きを使用したり、専用のシェーバーを使用したりして鼻毛を処理している。
［先行技術文献］
［特許文献］
［特許文献１］特開２０１０−２５９６８６号公報
［特許文献２］特開２０００−３４２３２７号公報
［特許文献３］特開２００１−３２７３２２号公報
【発明の概要】
【発明が解決しようとする課題】
【０００３】
これまでの毛抜きは、作業効率が低い。鼻毛は立体的に生えており、かつ鼻腔前庭部のどこに生えているか判然としないことから、場合によっては一本の鼻毛を処理することも困難である。また、シェーバーは、処理した鼻毛を視認できないので、どの程度確実に処理されているかわからないといった不安が残る。
【０００４】
所在が不明確であって立体的に生えている鼻毛を、痛覚に配慮しながら一回の試行で、より確実に処理ができ、また、抜去した鼻毛を視認できる毛抜きが望まれている。
【課題を解決するための手段】
【０００５】
本発明の一態様における脱毛器具は、スプリングを軸部材に沿って収縮させて毛を挟み、スプリングの収縮状態を維持して移動することにより前記毛を抜去する。
【図面の簡単な説明】
【０００６】
【図１】本実施形態に係る外観図である。
【発明を実施するための形態】
【０００７】
図１は、本実施形態に係る外観図である。先端部１は、はめ込まれたスプリングで付勢されており、使用者は、示指と中指を指穴３にかけて後端部４を拇指で押し出すと、スプリング２を容易に収縮させることができる。先端部１は、鼻腔内の粘膜を傷つけないようコーティングされている。
【０００８】
本体には、小型のモーターが搭載されており、スプリング２が完全に収縮するとスイッチが入り作動する仕組みになっている。振動がスプリング２に伝達され、抜去時の痛みを軽減させる。捉えた鼻毛を逃さないため、スプリング２は、滑り止めの加工が施されている。
【０００９】
使用者は、指穴３に示指と中指をかけた状態で鼻腔内に先端部１を挿入し、後端部４を拇指で押し出す。スプリング２が完全に収縮した状態になるとスイッチが入り、本体が振動するので、収縮によってスプリング２に捕捉された鼻毛を、そのまま鼻腔内から本体を移動させて抜去する。
【符号の説明】
【００１０】
１  先端部、２  スプリング、３  指穴、４  後端部
【図１】
0006022029.tif 000002
(57)【特許請求の範囲】
【請求項１】
診断対象物の管理番号が記憶されており診断対象物自体またはその近傍に設けられた識別子と、識別子に記憶されている診断対象物の管理番号を取り込む取込部、診断対象物の物理量を測定する測定部、測定部で測定した診断対象物の物理量に基づいて診断対象物の状態を診断する診断部、取込部の周囲を囲って伸縮可能に形成された遮蔽筒、を備えた診断装置と、を具備する診断システム。
【発明の詳細な説明】
【技術分野】
【０００１】
本発明は、各種配管に取り付けられる減圧弁や安全弁や自動調節弁や逆止弁などのバルブ類若しくはスチームトラップやガストラップ等のトラップ類、又は、各種プラント設備類の保守・点検のための診断システムに関する。各種プラント設備類や工場における生産現場においては、各種回転機械や駆動機械等のプラント設備やバルブ類が数多く取り付けられており、これらの設備やバルブは、最少の消費エネルギーで最大の生産量を得ると共に最高の生産品質を維持するために、その重要度に応じて絶えず若しくは定期的にその状態が温度や圧力や振動や音響やコンダクタンスや濃度やpH等の物理量の１つまたは複数を測定することによりチェックされている。
【背景技術】
【０００２】
従来の診断システムとしては、例えば、特許文献１に示されたものがある。ここに開示の診断システムは、診断対象物の管理番号と形式名が記憶されており診断対象物自体またはその近傍に設けられた識別子と、識別子に記憶されている診断対象物の管理番号と形式名を取り込む取込部、診断対象物の物理量を測定する測定部、診断対象物の形式名毎の診断基準が記憶されており取込部で取り込んだ診断対象物の形式名から診断対象物の診断基準を選択しこの選択した診断対象物の診断基準と測定部で測定した診断対象物の物理量に基づいて診断対象物の状態を診断する診断部、を備えた診断装置と、を具備するものである。
【先行技術文献】
【特許文献】
【０００３】
【特許文献１】特開２００１−１６７９６０号公報
【発明の概要】
【発明が解決しようとする課題】
【０００４】
上記従来の診断システムでは、管理番号と形式名を取り込もうとする識別子の近傍に別の識別子が設置されていると、別の識別子の管理番号と形式名も取り込んでしまうために取り込もうとする識別子の管理番号と形式名を正確に取り込めない問題点があった。
【０００５】
したがって本発明が解決しようとする課題は、取り込もうとする識別子の管理番号と形式名を正確に取り込むことができる診断システムを提供することである。
【課題を解決するための手段】
【０００６】
上記の課題を解決するために、本発明の診断システムは、診断対象物の管理番号と形式名が記憶されており診断対象物自体またはその近傍に設けられた識別子と、識別子に記憶されている診断対象物の管理番号と形式名を取り込む取込部、診断対象物の物理量を測定する測定部、診断対象物の形式名毎の診断基準が記憶されており取込部で取り込んだ診断対象物の形式名から診断対象物の診断基準を選択しこの選択した診断対象物の診断基準と測定部で測定した診断対象物の物理量に基づいて診断対象物の状態を診断する診断部、取込部の周囲を囲う遮蔽筒、を備えた診断装置と、を具備するものである。
【発明の効果】
【０００７】
本発明によれば、取込部の周囲を囲う遮蔽筒により、別の識別子の管理番号と形式名が取込部に達するのを防止することができるので、取り込もうとする識別子の管理番号と形式名を正確に取り込むことができるという優れた効果を生じる。
【図面の簡単な説明】
【０００８】
【図１】本発明の実施の形態に係わるトラップ診断システムの概略構成を示す外観図である。
【図２】同実施の形態を構成する診断装置の概略構成を示すブロック図である。
【発明を実施するための形態】
【０００９】
以下、本発明の実施の形態について、例えばスチームトラップを診断するトラップ診断システムに応用する場合について、図１と図２を参照して説明する。本実施例のトラップ診断システムは、識別子１と診断装置２とからなる。識別子１は、トラップ３の管理番号と型式名を記憶させた電子タグで構成し、診断対象物であるトラップ３自体またはその近傍に直接または紐や針金等の任意の取付部材を介して取り付ける。本実施の形態の識別子１は、トラップ３の出口側配管４に針金５を介して取り付けている。識別子１は、トラップ３の管理番号と形式名を診断装置２の後述の取込部８に高周波信号にして無線送信する。
【００１０】
診断装置２は、概ね掌サイズで、その先端にトラップ３の振動を測定するための丸棒状の測定部６を有する。この測定部６の先端をトラップ３の筐体表面に押し当てることによって、トラップ３の振動を測定する。また、診断装置２は、後端にアンテナ部７を有する。アンテナ部７は、その先端に識別子１から送信された高周波信号を受信するための取込部８を有する。取込部８の周囲を囲ってステンレス鋼等の金属製の遮蔽筒９を診断装置２に取付ける。遮蔽筒９は徐々に直径の異なる複数個の筒９ａ，９ｂ，９ｃを連結して伸縮可能に形成している。図１は遮蔽筒９の筒９ａ，９ｂ，９ｃを伸ばした状態である。
【００１１】
測定部６で測定して得た振動測定信号は、診断装置２内の増幅器１１で増幅した後、Ａ／Ｄ変換器１２でディジタル化して診断部としてのＣＰＵ１３に入力する。また、取込部８で取り込んだトラップ３の管理番号と型式名は、診断装置２内のＣＰＵ１３に入力する。ＣＰＵ１３は、記憶している診断対象物の形式名毎の診断基準の中から入力された型式名の診断基準を選択し、この選択した診断対象物の診断基準と同じく入力された振動測定信号からトラップ３を診断する。ＣＰＵ１３で診断された診断結果は、トラップ３の管理番号と共に診断装置２内の記憶部１４に記憶し、診断装置２の表面の上部に配置した表示部１５に表示する。診断装置２の表面の下部には、電源スイッチキーや各種の指令や数値等を入力するための操作部１６を配置する。
【００１２】
トラップ３の診断基準は、形式だけでなく、トラップ３が使用される蒸気の圧力によっても異なる。従って、形式及び使用圧力毎に診断基準を設定することにより、トラップ３をより正確に診断することが可能となる。
【産業上の利用可能性】
【００１３】
本発明は、各種配管に取り付けられる減圧弁や安全弁や自動調節弁や逆止弁などのバルブ類若しくはスチームトラップやガストラップ等のトラップ類、又は、各種プラント設備類の保守・点検のための診断システムに利用することができる。
【符号の説明】
【００１４】
１  識別子
２  診断装置
３  トラップ
６  測定部
８  取込部
９  遮蔽筒
１３  ＣＰＵ（診断部）
【図１】
0006022659.tif 000002
【図２】
0006022659.tif 000003
(57)【特許請求の範囲】
【請求項１】
上流の水源１と下流の貯水場２があり、その間に適当な落差３があり、上流の水源１から下流の貯水場２へ水を流すホース４とホース４の途中の空気穴、空気穴より上流のエネルギーを弱めるためのオリフィスやフィルターを有し、エアーブロアー、エアーコンプッレサー、エアーポンプ等の人工的な動力を使用せず、水源１からホース４の中を水が落下するエネルギーを利用し、空気の取込口として空気穴と混合部５を兼用する混合部５をホース４自体に有する気泡上昇水流発生器。
【発明の詳細な説明】
【技術分野】
【０００１】
本発明は水の自然エネルギー（位置エネルギー）と気泡を利用した動力源に関するものである。
【背景技術】
【０００２】
気泡上昇水流を利用した動力源でブロアーやエアーコンプレッサー、エアーポンプ等の電気機器を利用し、水中に気泡を発生させる方法等があるが、これらは別の電力を必要としており設備も大掛かりになる。
【０００３】
ダムや河川の水圧を利用してトンネル（パイプ）等の圧縮室へ空気を送り込み圧縮し、高圧空気を吹き出し動力源にするものもあるが他の電力は使用しないが、これについても設備が大掛かりになる。
【０００４】
高圧水下の水中で発生させる気泡の浮力を利用したものでは、高圧水下よりも高圧力で水中に空気を出すための大掛かりな設備が必要である。
【先行技術文献】
【特許文献】
【０００５】
【特許文献１】特開２００４−１８３６３７号公報
【特許文献２】特開２０００−２５７５４４号公報
【特許文献３】特開平６−１７３８４１号公報
【発明の概要】
【発明が解決しようとする課題】
【０００６】
従来の技術では、水中に気泡を発生させるために、自然の力で空気（気体）を水と混合することなく電気設備のブロアーやエアーコンプレッサー、エアーポンプ等、または圧縮室等を使用して水中に直接空気を噴射するが、大掛かりな設備が必要であり、これらの大掛かりな設備を全く使用せず、安価で安定した気泡上昇水流を発生する。
【課題を解決するための手段】
【０００７】
本発明では、基本的に水源（河川、泉、ダム、ため池等）が上流にあり下流に貯水場（ダム、ため池、海、プール等）があればホース（パイプや配管等）数本で気泡上昇水流を発生させることができる。日本では、河川にはいつも水が流れている状態が多く見られるため、本発明による自然エネルギーの利用は有効と考えられる。また、ホース数本を組み合わせて、既設の貯水場等に気泡混合水を流すことで既設設備の利用が可能である。
【０００８】
上流の水源から下流の貯水場へ水を流すためのホースを繋ぎ、ホースの入り口から空気と水を混合するためにホースの入り口を全て水へ沈めることなく、ある程度の割合で空気中へ出すことにより、水と空気が混合されホースへ流れ込むが、水源の水位が安定しないとホースの入り口が全て水中へ沈んだり、全て空気中に出たりする。
この場合は、ホースを上流の水源に沈めておきホースの途中に小さい空気穴を数個開ける。空気穴より上流の位置エネルギーが、空気穴より下流の位置エネルギーより小さい時に、空気穴から空気が入りホースの中で水と混合されて流れる。その逆に空気穴より上流の位置エネルギーの方が大きいと空気穴から水が溢れ出る。
【０００９】
空気穴から水が溢れる場合は空気穴より上流の位置エネルギーを制限する必要がある。例えば、空気穴のすぐ上流をオリフィスやフィルター等で流れを制限しエネルギーを弱めたり、上流になるほど内径を小さくしたり、空気穴のすぐ上流を切り離し、切り離した上流側の口を貯水槽や漏斗等に入れ、下流側の切り離した口を貯水槽や漏斗の底部付近へ取り付け、貯水槽や漏斗を上流の水源に変更する等、位置エネルギーについて工夫が必要である。（水と気泡混合部）
【００１０】
水中に気泡混合水を流すためのホースの注意点としてホースの入り口に水源のごみが入らないような工夫が必要である。また、気泡の浮力で貯水場の水面へホースが浮かないようにおもりを付けたり固定すること等が必要である。
【００１１】
本発明で発生する気泡上昇水流の途中にスクリューや水車等の羽根車を設置して回転するための動力源にしたり、バケツを逆さにしたようなものに気泡を一時的に溜めて浮力で上昇させ、上昇したところで中の空気を抜き下降するような仕組みで上下運動するための動力源にしたり、その他、気泡の振動を電力エネルギーに変換する等、色々な動力源として使用できる。主に発電に使用することが望ましいと考えられる。また、浴槽の上端より上に適当な落差がある水源用の貯水槽を設け、貯水槽に湯を汲み入れることで気泡風呂や風呂の攪拌器としての応用が可能である。
【００１２】
ダムやため池などに気泡を含む水を流すことによる効果として、攪拌と空気の補給により水質改善が考えられる。さらに、気泡上昇水流で羽根車（スクリュー、水車等）を回すことで貯水場全体の水が回転し、より攪拌効果が大きくなる。
【００１３】
ホースの先端におもりを取り付け、下向きにホースから気泡が混ざった水を流すことでヘドロ等に水流で穴を掘り、穴の中に気泡も同時に吹き出す。これを繰り返し水流で穴を掘ることで多くの穴ができ微生物が活性化しヘドロの浄化が期待できる。
【図面の簡単な説明】
【００１４】
【図１】自然エネルギーを利用した気泡上昇水流発生器
【符号の説明】
【００１５】
１  上流の水源
２  下流の貯水場
３  落差
４  ホース
５  水と気泡混合部
【図１】
0005978452.tif 000002